(57)【要約】【課題】  ａ−Ｓｉに比べてオン／オフ比が低いＯＳＣ系ＴＦＴにおいて、書き換え中に表示が変化することがなく、画面書き込みが完了した時点でも１ライン目と最終ラインの画質が異なることがなく、且つ、書き換え時間を電気泳動表示素子の応答時間である０．５〜１秒程度の時間で素早く画面を切り換えることができる電気泳動表示素子の駆動方法を提供する。【解決手段】  最初の画面書き込みをｎ回書き込んだ後、適切な間隔２５で画質保持書き込みを適宜行う（２２）。この画像保存書き込みにおいては、５秒に１回、５０ｍ秒のパルスを送る。【選択図】  図４
2007079301.tif 000002
【特許請求の範囲】
【請求項１】
画素ごとに作製された薄膜トランジスタのドレインまたはソース電極を、副走査方向の表示内容を送るためのデータ線とし、前記薄膜トランジスタのゲートを、走査方向の中から１つの書き込み表示を選択する選択線とし、前記データ線及び前記選択線を外部回路への引き出し電極によって縦横に接続するマトリックス状に配置し、画素電極及び共通の電極がそれらの間に容量を有する画素を構成するように２枚の基板上に配置され、前記電極間に電気泳動分散材を封入したマイクロカプセルを挿入してなる電気泳動表示素子を駆動する電気泳動表示素子の駆動方法において、
前画面と異なる内容を表示する際に、少なくとも、１画面を書き換えるのに必要な時間より短い時間で、繰り返し１画面分のデータを書き込むことを特徴とする電気泳動表示素子の駆動方法。
【請求項２】
１画面分のデータを書き込むのに必要な多重回書き込みの後に、間欠走査により書き込みを行うことを特徴とする請求項１記載電気泳動表示素子の駆動方法。
【請求項３】
前記間欠走査による書き込みを１回行うことを特徴とする請求項２記載の電気泳動表示素子の駆動方法。
【請求項４】
前記間欠走査の書き込みを複数回行うことを特徴とする請求項２記載の電気泳動表示素子の駆動方法。
【請求項５】
走査速度を変えて、前記間欠走査による書き込みを行うことを特徴とする請求項３または４に記載の電気泳動表示素子の駆動方法。
【請求項６】
１画面分のデータを書き込むのに必要な間欠周期を変更する工程を有することを特徴とする請求項２から５のいずれか１項に記載の電気泳動表示素子の駆動方法。
【請求項７】
１画面分を走査する速度を変更する工程を有することを特徴とする請求項１から６のいずれか１項に記載の電気泳動表示素子の駆動方法。
【請求項８】
１画面分を走査する回数を設定する工程を有することを特徴とする請求項１から７のいずれか１項に記載の電気泳動表示素子の駆動方法。
【請求項９】
間欠駆動時間の確認と、書き換えデータの有無の確認と、を同一の処理工程において行うことを特徴とする請求項２から８のいずれか１項記載の電気泳動表示素子の駆動方法。
【発明の詳細な説明】
【技術分野】
【０００１】
本発明は、電気泳動粒子を含有する分散系を封入した複数の分割セルから構成された電気光学装置を駆動する電気泳動表示素子の駆動方法に関するものである。
【背景技術】
【０００２】
分散媒質中に帯電した電気泳動微粒子を分散させた分散材に電界を印加することで前記帯電粒子がクーロン力によって移動する現象である『電気泳動現象』を、非発光型表示デバイスとして利用した電気泳動表示装置が知られている。
【０００３】
このような電気泳動表示装置に関する技術としては、次のものが知られている。
【０００４】
例えば、特許文献１では、諧調性に関わる駆動方法を有する電気光学装置、電気光学装置の駆動方法及び電子機器が開示されている。また、特許文献２では、カラーコントラストの向上に関わる電気泳動表示装置が開示されている。
【０００５】
電気泳動現象を利用した電気泳動表示素子や電気泳動表示パネル等の電気泳動表示装置は、対向した電極間に分散材を封入した構成を有する。また、該対向電極には薄膜型トランジスタ（ＴＦＴ）などの駆動回路が各画素に対応して接続されており、該駆動回路は外部回路に接続されている。
【０００６】
従来の多くは、アモルファスシリコン（ａ−Ｓｉ）によるＴＦＴを用いており、基板として絶縁性の高いＳｉＯ2を使っていた。そのため、オン／オフ比を１０8以上取ることができ、書き込みに必要なオン電流容量が十分に設定可能であり、また、オフ電流を極小にすることが可能であった。したがって、オフ電流が電気泳動表示素子画素へ流れ込んでしまい、表示が変化してしまうことは事実上起こり得なかった。
【０００７】
ところで、近年、フォトリソグラフィ技術や真空装置による製膜に比べてはるかに簡便で生産性の高いインクジェット技術などを用いた有機半導体材料（ＯＳＣ材料）によるＭＯＳ−ＦＥＴの開発が進められている。
【０００８】
ＯＳＣは、ａ−Ｓｉに比べ移動度が低く、オン／オフ比を大きくとることができない。しかし、比較的遅い書き込みでも実用に供する電気泳動表示素子による静止画表示を行う電子本などへの応用には、利用できる可能性が出てきている。
【特許文献１】特開２００４−０８５６０６号公報
【特許文献２】特開２００４−３５７７５号公報
【発明の開示】
【発明が解決しようとする課題】
【０００９】
しかし、ＯＳＣは、ａ−Ｓｉに比べるとＴＦＴのオン／オフ比が大きくないので、書き込んだ画像が比較的短い時間で変化してしまう。これには、移動度が低いことによってオン電流が取れないことと合わせて、オフ電流が完全には絞り込めないことも関係している。
【００１０】
例えば、１画面の書き換え走査数がＶＧＡ（ビデオグラフィックスアレイ）のように６４０ラインある場合、１つのラインにとっては、６４０回に１回の書き換えの機会しかないことになる。そのため、この６４０に対し十分に大きな比が取れない場合、書き換え中に表示に変化が生じてしまうこともあり得る。
【００１１】
このため、画面全体を全面的に書き換えるほどではないが、表示画面を保持するために、適切な時期に適切な再書き込みを行う必要がある。特に、電気泳動表示素子のように、書き換えサイクルの電圧電荷特性（ＶＣ特性）のヒステリシスが非常に大きい表示素子の書き換えには、大きな電荷を、全面的な書き換えのために送り込む必要がある。
【００１２】
一旦書き換えた表示を保持するために必要な電流はあまり大きくなくてよいので、その落差を十分に配慮した駆動方法が必要となる。このため、有機半導体（ＯＳＣ）によるＴＦＴのような、オン／オフ比が十分に取れない場合（〜１０5）の表示画像の保持方法が求められている。
【００１３】
また、電気泳動表示素子の電極間に電荷を十分送り込んでも、電気泳動表示素子の表示状態が十分達成されるまでには、通常０．５〜１秒程度の時間が掛かる。つまり、充電自体に掛かる時間と実際に表示が完了するまでの時間に大きな差がある。１ラインずつの書き込みを待って表示させると、ＶＧＡでも数百秒も掛かることになるので、容認できない。
【００１４】
また、ゆっくり書き込むと、最初の１ライン目と画面の最後のラインの表示品質が異なるという問題が発生する可能性がある。また、書き込み時間の短縮化の観点、書き込み消費電力の節約の観点から、ゆっくり書き込むのは好ましくない。
【００１５】
上記の特許文献１、特許文献２に記載の技術では、表示画像の保持方法に関しては何ら開示も言及もなされていない。
【００１６】
本発明は、上記の問題点に鑑みてなされたものであり、ａ−Ｓｉに比べてオン／オフ比が低いＯＳＣ系ＴＦＴにおいて、書き換え中に表示が変化することがなく、画面書き込みが完了した時点でも１ライン目と最終ラインの画質が異なることがなく、且つ、書き換え時間を電気泳動表示素子の応答時間である０．５〜１秒程度の時間で素早く画面を切り換えることができる電気泳動表示素子の駆動方法を提供することを目的とする。
【課題を解決するための手段】
【００１７】
請求項１記載の発明は、画素ごとに作製された薄膜トランジスタのドレインまたはソース電極を、副走査方向の表示内容を送るためのデータ線とし、前記薄膜トランジスタのゲートを、走査方向の中から１つの書き込み表示を選択する選択線とし、前記データ線及び前記選択線を外部回路への引き出し電極によって縦横に接続するマトリックス状に配置し、画素電極及び共通の電極がそれらの間に容量を有する画素を構成するように２枚の基板上に配置され、前記電極間に電気泳動分散材を封入したマイクロカプセルを挿入してなる電気泳動表示素子を駆動する電気泳動表示素子の駆動方法において、前画面と異なる内容を表示する際に、少なくとも、１画面を書き換えるのに必要な時間より短い時間で、繰り返し１画面分のデータを書き込むことを特徴とする。
【００１８】
請求項２記載の発明は、請求項１記載の電気泳動表示素子の駆動方法において、１画面分のデータを書き込むのに必要な多重回書き込みの後に、間欠走査により書き込みを行うことを特徴とする。
【００１９】
請求項３記載の発明は、請求項２記載の電気泳動表示素子の駆動方法において、前記間欠走査による書き込みを１回行うことを特徴とする。
【００２０】
請求項４記載の発明は、請求項２記載の電気泳動表示素子の駆動方法において、前記間欠走査の書き込みを複数回行うことを特徴とする。
【００２１】
請求項５記載の発明は、請求項３または４記載の電気泳動表示素子の駆動方法において、走査速度を変えて、前記間欠走査による書き込みを行うことを特徴とする。
【００２２】
請求項６記載の発明は、請求項２から５のいずれか１項に記載の電気泳動表示素子の駆動方法において、１画面分のデータを書き込むのに必要な間欠周期を変更する工程を有することを特徴とする。
【００２３】
請求項７記載の発明は、請求項１から６のいずれか１項に記載の電気泳動表示素子の駆動方法において、１画面分を走査する速度を変更する工程を有することを特徴とする。
【００２４】
請求項８記載の発明は、請求項１から７のいずれか１項に記載の電気泳動表示素子の駆動方法において、１画面分を走査する回数を設定する工程を有することを特徴とする。
【００２５】
請求項９記載の発明は、請求項２から８のいずれか１項に記載の電気泳動表示素子の駆動方法において、間欠駆動時間の確認と、書き換えデータの有無の確認と、を同一の処理工程において行うことを特徴とする。
【発明の効果】
【００２６】
本発明により、電気泳動表示素子において、書き換え中に表示が変化することがなく、画面書き込みが完了した時点でも１ライン目と最終ラインの画質が異なることがなく、且つ、書き換え時間を電気泳動表示素子の応答時間である０．５〜１秒程度の時間で素早く画面を切り換えることが可能となる。
【発明を実施するための最良の形態】
【００２７】
＜第１の実施形態＞
以下、本発明について、実施の形態に即して説明する。まず、本発明の第１の実施形態について説明する。
【００２８】
＜電気泳動表示素子の概略構成＞
図１は、一般的な電気泳動表示素子１を側面から見たものである。電気泳動表示素子１は、基板２と、画素電極３と、マイクロカプセル４と、透明電極５と、透明基板６と、を有する。
【００２９】
基板２の上には画素毎に対応させて個別に形成した画素電極３が配設されており、その上には、マイクロカプセル４が配設されている。また、マイクロカプセル４を挟んで画素電極３と対向する位置には共通電極である透明電極５が作製された透明基板６が配設されている。ユーザは、透明基板６側から電気泳動表示素子１の表示を観察する。
【００３０】
このマイクロカプセル４内には、分散材が封入されていて、分散媒質中にプラスおよびマイナスに帯電された２種類の電気泳動粒子が分散されている。また、分散媒質中には、適切な分散材がそれぞれの帯電粒子に対応して添加されていて、帯電粒子の沈殿や分散媒質との分離を防ぐようになっている。
【００３１】
さらに、電気泳動分散媒質をマイクロカプセル４に封入して電極３、５間に配置しているのは、これらマイクロカプセル４を画素サイズより十分に小さく作製することで、帯電粒子の偏りを防止する役割を持たせるためである。
【００３２】
＜電気泳動表示素子の回路構成＞
次に、図２を参照して、電気泳動表示素子１の回路構成について説明する。図２は、電気泳動表示素子１のマトリックス回路を示すものであり、（ａ）は、１つの画素の回路を示し、（ｂ）は、回路の行・列方向を示す。なお、このマトリックス回路は、基板２上の画素電極３に対応して設けられている。
【００３３】
マトリックス回路は、ＴＦＴ７と、容量８と、データ線９と、信号線１０と、を有して構成される。
【００３４】
ＴＦＴ（薄膜トランジスタ）７は画素毎に作製されており、ＴＦＴ７のドレイン電極あるいはソース電極は副走査方向の表示内容を送るためのデータ線９と接続され、ＴＦＴ７のゲート電極は走査方向の中から１つの書き込みを選択する選択線１０と接続されている。また、ソース電極あるいはドレイン電極のうちデータ線９に接続されていない側の電極は、画素電極３に接続されている。
【００３５】
画素電極３は対向して配設される透明電極５との間で容量８を形成する。なお、透明な対向電極５は、アース１１として示している。この容量８に蓄えられている電荷の向きによって、容量８内の電界方向が決定され、これに応じて帯電粒子が移動し、表示の白黒などが反転される。
【００３６】
走査方向たるＫ行のデータ線９（行番号＝１、２、・・・、Ｋ−１、Ｋ）と、副走査方向たるＬ列の選択線１０（列番号＝１、２、・・・、Ｌ−１、Ｌ）とは、（ｂ）のようにマトリックス状に設けられており、その末端は外部回路へと引き出されている。
【００３７】
＜データ書き込み信号＞
次に、図３を参照して、１画面分のデータを書き込む際の電気信号について説明する。図３は、Ｋ行、Ｌ列の画素数を有する電気泳動表示素子１の信号を表している。
【００３８】
なお、図中のパルス状信号の『Ｈ』及び『Ｌ』は、いずれも例えば±１５ボルトなど２つの電圧レベルのいずれかを取りうることを示す。図３の１６〜１８の選択線においては、『Ｈ』は、アクティブ（ＯＳＣによるＴＦＴ７がアクティブ）を表す。また、データ線を表す１３〜１５も同様であり、表示する画像によって適した『Ｈ』『Ｌ』のいずれかの信号が送られる。
【００３９】
１２は、最も典型的なフレームに多数回書き込んでいる様子と間欠書き込みを行っている信号の様子を表したものである。１２では、１フレーム分の書き込み信号１３１をｎ回送り込み、多重回書き込みによるフレームの書き込み終了後に、１フレーム単位の書き込み信号１３２を電気泳動表示素子１に送っている様子が示されている。
【００４０】
１３〜１５は、１フレーム分のデータ信号を送っている部分のデータ信号についての詳細を示すものである。また、このときの列信号線に送られる信号を示したのが１６〜１８である。
【００４１】
１画面分のデータを得るためには、選択線１０の数Ｌ回分の書き込みを行い、さらにその１回の中で行データ１〜Ｋ行のデータを同時に表示信号として送る。従って、すべての画素に信号を送るには、すべての列データに、１列分のデータを行データ線群に送り、その列データを表示したい列にのみ選択信号Ｈを送ればよい。これをＬ回繰り返すことで、すべての画素にデータが送られる。
【００４２】
このように、１３〜１５の行データ（１〜Ｋ）を１組ずつ送り込み、これに同期して１６〜１８列データ（１〜Ｌ）のうち対応する１つの線を選択し、これをＬ回繰り返すことで、１画面分のデータの書き込みが終了する。以下、これを『１画面分のデータの書き込み』と表記する。なお、ｎ回多重書き込みとは、このＫ行×Ｌ列分の書き込み作業をｎ回行うことである。
【００４３】
図３の一般的な１画面分データ書き込み１２において、１画面分を順に走査しＴＦＴ７をオフにすれば、表示を保持できる。しかし、オン／オフ比が大きくないＯＳＣなどでは、リークも大きいため、表示の保持動作が必要になる。
【００４４】
そこで、最初の書き込みでｎ回繰り返して多重書き込みを行い、終了後は、選択信号およびデータ信号を停止し、適宜、表示品質保持のために間欠書き込みを行う。
【００４５】
＜間欠書き込み＞
図４を参照して、間欠書き込みの動作について説明する。図４は、間欠書き込みの動作を示すタイミングチャートである。
【００４６】
書き換え速度の遅い電気泳動表示素子１に対し、電気的な応答速度が十分に大きく取れるような大きさのＯＳＣによるＴＦＴを用いて、多重書き込みを行う。この際、１行ずつ完全に書き込むのではなく、電気泳動表示素子１の応答速度（通常０．５〜１秒）より十分早い速度で多重に走査して書き込む。これにより、画面全体がゆっくり現れるような表示が可能となる。
【００４７】
図４の行データ列、すなわち、１画面の書き込み完了までに、ｎ回の画面データの書き込みを行う。
【００４８】
図４において、１つのパルスは、１フレーム分の書き込みを表す（１つの画面の書き換えにｎ回の書き込みを行う）。ｎ回の画面データ書き込み２１、２３を行った後、間欠周期的に、書き込み２１、２３の１パルス分と同じパルス幅と適切な間隔２５で、１パルスずつ画質保持書き込み２２、２４を行う。
【００４９】
最初の画面書き込みをｎ回書き込んだ（２１）後、適切な間隔２５で画質保持書き込みを適宜行う（２２）。次の画面書き込みの指令がきた時、新しい画面書き換えのために、新しいデータによる書き込みをｎ回行い（２３）、再び、適切な間隔２５で画質保持書き込みを間欠的に行う（２４）。
【００５０】
また、図５は、電気泳動表示パネルのｎ回多重書き込み後に、多重書き込みと同じ書き込み速度より遅い速度で、同じ１画面分のデータを適切な間欠時間間隔で書き込む様子を示すタイミングチャートである。
【００５１】
図５において、１つのパルスは、１フレーム分の書き込みを表す（１つの画面の書き換えにｎ回の書き込みを行う）。ｎ回の画面データ書き込み３１、３３を行った後、間欠周期的に書き込み幅を変えた書き込み信号３２、３４を送る。この際、適切な時間間隔３５と適切な書き込み時間幅によって調節する。
【００５２】
最初の画面書き込みをｎ回書き込んだ（３１）後、画質保持書き込みを適宜行う（３２）。次の画面書き込みの指令がきた時、新しい画面書き換えのために、新しいデータによる書き込みをｎ回行い（３３）、再び、画質保持書き込みを間欠的に行う（３４）。
【００５３】
また、図６は、電気泳動表示パネルのｎ回多重書き込み後に、多重書き込みと同じ書き込み速度で、同じ１画面分のデータを適切な間欠時間間隔でｍ回書き込む様子を示すタイミングチャートである。
【００５４】
図６において、１つのパルスは、１フレーム分の書き込みを表す（１つの画面の書き換えにｎ回の書き込みを行う）。ｎ回の画面データ書き込み４１、４３を行った後、間欠周期的に書き込み４１、４３の時の１パルス分と同じパルス幅を、適切なｍパルス分と適切な間隔４５で、ｍパルスずつ画質保持書き込み４２、４４を行う。
【００５５】
最初の画面書き込みをｎ回書き込んだ（４１）後、画質保持書き込みを適宜行う（４２）。次の画面書き込みの指令がきた時、新しい画面書き換えのために、新しいデータによる書き込みをｎ回行い（４３）、再び、画質保持書き込みを間欠的に行う（４４）。
【００５６】
このように、図４〜図６に示すように、適切な間隔２５で再書き込み（間欠走査）を行うことにより、僅かな電流で画質の保持が可能になる。
【００５７】
図７は、電気泳動表示素子の印加電圧と蓄積された電荷の関係を示す。横軸は印加電圧を示し、縦軸は電気泳動表示素子に注入されかつ蓄えられた電荷量［ｐＣ］を示す。なお、印加電圧は、±１６ボルトの範囲で印加している。また、図が示す関係は、２Ｈｚ、０．２Ｈｚ、０．０５Ｈｚで１サイクル時のものである
【００５８】
図７から、書き込み周期が電気泳動表示素子１の応答時間より速くなると、急速に１サイクルあたりで消耗する必要な電荷量が大きくなり、消費電力が大きくなる。電気泳動表示素子１の電極間電圧をゆっくり上げたほうが消耗する電荷量が少なくて済むことがわかる。
【００５９】
画像自体が変化する場合にのみ必要な書き換え回数ｎ回だけ分割多重書き込みを行うように制御することで、画面の選択線１と選択線Ｌに対応する画面をゆっくり書く制御よりも、表示品質の違いを少なくできる。すなわち、オン／オフ比が小さくても１行目の表示と最後の行の表示品質に違いが出ないようにすることができる。なお、１回の走査に掛ける時間は、人間が走査を感じてしまわない時間、すなわち、１／１０秒以下がよい。
【００６０】
電極３、５間の容量８の充電そのものに掛かる時間は、電気泳動素子１の帯電粒子が移動するのに掛かる時間よりかなり速くできる。一方、電気泳動素子の帯電粒子が充電した電界に応じただけの移動が完了するには、機械的動作／移動が伴うためにかなり遅くなる。従って、その間に、画面上の他の行を走査し、書き込みをすることが可能である。
【００６１】
また、電気泳動素子１のＶＣ特性の周期が電気泳動素子１の応答速度に近い時間で充電しようとすると、ヒステリシス曲線の面積が大きくなって充電に必要な電荷量が大きくなるため、電流を多く流す必要があり損失が大きい（図７参照）。反対に、電気泳動素子の応答速度（０．５〜１秒くらい）の０．５倍から２倍程度の時間をかけてゆっくり電圧を上げて充電すると、ヒステリシス曲線の面積が小さくなるばかりか、流す電流のピークが低下する。
【００６２】
従って、画面の走査線１行ずつを短い時間で充電するのではなく、画面全体をゆっくり電気泳動素子の応答速度程度の速度で充電すれば、低電力での表示画面の駆動が可能となる。
【００６３】
また、表示画質保持のための書き込みの再書き込み方法は、図４〜図６に示すような３通りの方法があるが、いずれの方法も最初のｎ回多重書き込みよりも僅かな書き込みによって、長時間のデータを保持できる。つまり、すでに充電が済んでおり、僅かな漏れによる分を修正するだけなので、非常に少ない電流の駆動で表示画面を保持できる。
【００６４】
＜書き込み時間、書き込み回数と反射率＞
図８は、電気泳動表示素子１の１画面分データの書き込み時間（単位：ｍ秒）の変更、多重書き込み回数及びそれに対する電気泳動表示素子１の反射率の変化（黒から白への変化とする）の到達率（単位：％）を表にしたものである。
【００６５】
なお、図８は、ＶＧＡ（Ｋ×Ｌ＝６４０×４８０）に対する（１）１画面を書き込むのに必要な時間、（２）画面書き込み回数、（３）反射率（黒：１２％、白：６５％）を示す。
【００６６】
図から、５０ｍ秒で１画面書き込みができれば、１０回程度の多重書き込みで反射率が６４％に達することがわかる。なお、該データは電気的な書き込み時間と反射率の関係を示すものではなく、実際にはここで示した時間で書き込んでも、到達反射率を得るには０．５〜１秒程度必要である。
【００６７】
画面を黒から白へ十分に変化させるためには、フレーム書き込み時間２０ｍ秒の場合で１００回、５０ｍ秒の場合で１０回、１００ｍ秒の場合で２回多重書き込みを行う必要がある。１画面あたり書き換えの合計時間では、１００ｍ秒書き換えは可能なように見えるが、書き込みが終了した時はまだ反射率は６５には到達しない。
【００６８】
いずれの場合も最終的な反射率が６５に達するのには、０．５秒程度掛かっている。実験で使用した電気泳動表示素子の場合、約０．５秒の反射率比の遅れに合わせるのが適当である。すなわち、この実験で、１画面５０ｍ秒位の時間で書き換えるのが適当であることが判る。この場合、Ｋ列１組のデータを送り込む周期は約１００μ秒であり、この時間で選択線を選択し、Ｌ＝４８０で１画面を書き終えることになる。
【００６９】
＜時間による反射率の低下＞
図９は、電気泳動表示素子１を一旦白色になるまで書き込んでからの放置時間と、反射率の低下の関係を表としたものである。ここでは、十分に反射率比が取れた状態からＴＦＴ７のオフ電流によって起こる白反射率の低下を、放置時間（単位：秒）で確認している。
【００７０】
この表から、時間が経つほど有機ＴＦＴなどのリーク電流によって反射率が低下していることが分かる。これは画質低下に掛かる時間を表していて、間欠駆動の時間間隔を決めるためのデータとなる。
【００７１】
反射率の低下をどの程度まで許容するかは定義によるが、ここで許容できる反射率の低下を５９％前後とする。図９の結果では、５秒で６１％となり、１０秒で５７％となっているので、許容できる反射率低下に対応する放置時間は５秒〜１０秒程度、正確には５秒程度となる。
【００７２】
この際のリーク電流は、おそらくは、１０-11［Ｃ］弱と考えられる。これは、飽和電流が１０-7［Ａ］の有機ＴＦＴによる０．１［μ秒］前後の駆動時間でも可能な電流量である。従って、若干の余裕を見て、５秒に１回、５０ｍ秒（≒０．１［μ秒］×４８０ライン）のパルスを送れば、ほぼ最初の画質を維持し続けることができる。
【００７３】
＜多重書き込み及び画像保持の駆動方法＞
次に、図１０を参照して、電気泳動表示素子１の多重書き込みおよび画質保持の駆動方法について説明する。図１０は、電気泳動表示素子１の多重書き込みおよび画質保持の駆動のフローを示すものであり、特に、ｎ回の多重書き込みとその後の画質保持書き込みを１回で行うフローを示す。
【００７４】
まず、画面全体を初期化し（ステップＳ１）、１画面分のデータを書き込む（ステップＳ２）。次に、書き込みを行った回数がｎ回であるか否かを判断する（ステップＳ３）。書き込み回数がｎ回でない場合は（Ｓ３／Ｎｏ）、Ｓ２に戻り多重書き込みを行う。
【００７５】
書き込み回数がｎ回であれば（Ｓ３／Ｙｅｓ）、次画面データが有るか否かを判断する（ステップＳ４）。次画面データが有れば（Ｓ４／Ｙｅｓ）、次画面データを書きこむためにＳ２に戻り、画面の書き換えを行う。
【００７６】
次画面データがない場合は（Ｓ４／Ｎｏ）、表示動作を停止するか否かを判断する（ステップＳ５）。表示動作を停止する場合には（Ｓ５／Ｙｅｓ）、表示を初期化して処理を抜ける（ステップＳ８）。
【００７７】
表示動作を停止しない場合には（Ｓ５／Ｎｏ）、間欠時間に達したかどうかを確認し（ステップＳ６）、間欠時間がきたら（Ｓ６／Ｙｅｓ）、画質保持のため、１画面分のデータを書き込む（ステップＳ７）。なお、Ｓ７では、ここでは、図４、図５に示すように画質保持データを１回だけ書き込む。そして、再びＳ４に戻り、次画面データの有無を確認する処理を行う。
【００７８】
図１１は、電気泳動表示素子１の多重書き込みおよび画質保持の駆動方法の他の方法を示すフローチャートである。本フローでは、図６に示すｎ回の多重書き込みとその後の画質保持書き込みをｍ回で行う方法を採用している。
【００７９】
まず、画面全体を初期化し（ステップＳ１１）、１画面分のデータを書き込む（ステップＳ１２）。次に、書き込み回数がｎ回であるか否かを判断する（ステップＳ１３）。書き込み回数がｎ回でない場合は（Ｓ１３／Ｎｏ）、Ｓ１２に戻り多重書き込みを行う。
【００８０】
書き込み回数がｎ回であれば（Ｓ１３／Ｙｅｓ）、次画面データが有るか否かを判断する（ステップＳ１４）。次画面データが有れば（Ｓ１４／Ｙｅｓ）、次画面データを書きこむためにＳ２に戻り、画面の書き換えを行う。
【００８１】
次画面データがない場合は（Ｓ１４／Ｎｏ）、表示動作を停止するか否かを判断する（ステップＳ１５）。表示動作を停止する場合には（Ｓ１５／Ｙｅｓ）、表示を初期化して処理を抜ける（ステップＳ１９）。
【００８２】
表示動作を停止しない場合には（Ｓ１５／Ｎｏ）、間欠時間に達したかどうかを確認し（ステップＳ１６）、間欠時間がきたら（Ｓ１６／Ｙｅｓ）、画質保持のため、１画面分のデータを書き込む（ステップＳ１７）。この画像保持のための書き込みを行った回数がｍ回であるか否かを判定し（ステップＳ１８）、ｍ回に達していない場合には（Ｓ１８／Ｎｏ）、Ｓ１７に戻り書き込み処理を続行する。ｍ回に達した場合には（Ｓ１８／Ｙｅｓ）、再びＳ１４に戻り、次画面データの有無を確認する処理を行う。
【００８３】
上記の図１０、図１１のフローでは、次画面データ（書き換えデータ）の有無の確認と、停止判断の確認とが、間欠駆動時間に達したか否かの確認と同一の処理フローで行われている。このように処理することで、各種要求があったときに、新しい画面への書き換え中を除けば（この時だけは、画面が完全に書き換わっているからであるが）、１画面分のデータの書き込み時間程度の遅れで次の動作への移行が可能となる。
【００８４】
画面の調節に関し、ｎ回多重書き込みの変更があったときは、Ｓ１（Ｓ１１）の表示初期化に戻って処理を再開する。また、間欠時間の変更があったときは、次の１画面分のデータの書き込みを行ったあとから間欠時間の変更結果を反映させる。
【００８５】
また、画質保持のためのｍ回の書き込み数がｍ´回に変更になった場合には、次の書き換えから書き込み回数をｍ´回に変更する。また、画質保持のための書き込み時間を変更する場合も同様に、次回のタイミングから反映させればよい。これらは、間欠時間は数秒とかなり長いため、変更の反映のさせ方によってはスムーズに変更結果が反映されなくなる可能性があることを考慮している。
【００８６】
本実施形態の電気泳動表示素子１の駆動方法では、前画面と異なる内容を表示する際に、少なくとも、一画面を書き換えるのに必要な時間より短い時間で繰り返し１画面分の表示データを書き込む。ここでは、図４の２１と２３、図５の３１と３３、第６図の４１と４３、図１０の１画面分データをｎ回書き込むループ、図１１の１画面分データをｎ回書き込むループについて、一画面を書き換えるのに必要な時間より短い時間で繰り返し１画面分の表示データを書き込む。
【００８７】
このように制御することにより、オン／オフ比が十分に取れないため、ＴＦＴをオフにするだけで表示を十分に長い時間にわたって保持できるわけではないＯＳＣのＴＦＴにおいて、表示品質が落ちないうちに、定期的に表示されている画面の同じ表示のための書き込み走査を行うので、画面の表示品質を保持することが可能となっている。
【００８８】
また、本実施形態の電気泳動表示素子１の駆動方法では、１画面分のデータを書き込むのに必要な多重回書き込みの後に、間欠走査を行う。このように制御することにより、表示書き込みが済んだ画面において、画質の劣化した分だけを画質保持のための書き込みによって再生させることが可能となる。また、特に、多重書き込みの際の１画面分のデータを書き込むのと同一の処理で行うので、電気泳動表示素子１の駆動ハードウェアが簡単になる。
【００８９】
この間欠走査においては、書き込みを一回行う方法（図４、図５、図１０）や、書き込みを複数回行う方法（図６、図１１）を採用することができる。また、１画面分を走査するのに必要な走査速度を変えて行う方法（図５）を採用することができる。
【００９０】
また、本実施形態の電気泳動表示素子１の駆動方法では、「間欠駆動時間の確認工程」と、「書き換えデータの有無の確認工程」とが同一の処理フローに含まれている。
【００９１】
間欠駆動には、数秒オーダーの駆動時間が掛かるので、「間欠駆動時間確認」動作中に、表示画面を書き換える要求が発生すると、直ぐに間欠駆動確認から抜けて画面書き換えを開始できない。そこで、このように間欠駆動時間の確認工程」と、「書き換えデータの有無の確認工程」とを同一の処理フローで行う。
【００９２】
これにより、電気泳動表示素子１の書き換えデータが発生した際に、直ちに間欠駆動確認から抜けて、表示画面を書き換えることが可能となっている。
【００９３】
＜第２の実施形態＞
本発明の電気泳動表示素子１の駆動方法の第２の実施形態について説明する。
【００９４】
上記の第１の実施形態において、画質の保持書き込みのための周期が固定で且つ書き込み回数や書き込み速度が一定であると、電気泳動素子１の性能が変化した場合に、不必要に保持用書き込み駆動を行ったり、再書き込み量（回数）が不足したりすることがなる。
【００９５】
そこで、本実施形態では、第１の実施形態の電気泳動表示素子１の駆動方法において、１画面分のデータを書き込むのに必要な間欠周期を変更する工程を有する。
【００９６】
これにより、間欠周期を変化させることで、画質保持能力の設定を行うことが可能となる。また、書き込み時間と間欠周期の両方で、電気泳動表示素子１の画質保持能力を設定することが可能となる。
【００９７】
なお、間欠周期を変更するのではなく、１画面分を走査するのに必要な走査速度を変更する工程を有するようにしても良い。このように構成することによっても、電気泳動表示素子１の画質保持能力を設定することが可能となる。
【００９８】
＜第３の実施形態＞
本発明の第３の実施の形態について説明する。本実施形態の電気泳動表示素子１の駆動方法は、第１、第２の実施の形態において、１画面分を走査するのに必要な走査回数を設定する工程を有している。
【００９９】
これにより、多重書き込みの時と同じ書き込み手続きを利用した１画面分のデータの走査回数を設定することで、電気泳動表示パネルの画質保持能力の設定が可能となる。
【０１００】
＜付記事項＞
なお、上述の実施形態は本発明の好適な実施形態の一例を示すものにすぎず、本発明の実施の形態を限定する趣旨のものではない。よって、本発明は上述の実施形態に限定されることはなく、その要旨を逸脱しない範囲内において種々の変形実施を行うことが可能である。
【産業上の利用可能性】
【０１０１】
本発明は、電子本、電子帖面、電子辞書、電子紙など電子表示器を有する各種装置、特に、線画や文書などの静止画を表示するための装置で、小型、軽量、薄型である表示機能付き電子装置に利用することができる。
【図面の簡単な説明】
【０１０２】
【図１】電気泳動表示素子の側面図である。
【図２】電気泳動表示素子の回路構成を示す図である。
【図３】１画面分のデータを書き込む際の電気信号を説明するための図である。
【図４】間欠書き込みの動作を示すタイミングチャートである。
【図５】間欠書き込みの動作を示すタイミングチャートである。
【図６】間欠書き込みの動作を示すタイミングチャートである。
【図７】電気泳動表示素子の印加電圧と蓄積された電荷の関係を示す表である。
【図８】１画面分データの書き込み時間、多重書き込み回数、電気泳動表示素子の反射率の変化の到達率の表である。
【図９】電気泳動表示素子の放置時間と反射率の低下の関係を示す表である。
【図１０】電気泳動表示素子の多重書き込みおよび画質保持の駆動を示すフロー図である。
【図１１】電気泳動表示素子の多重書き込みおよび画質保持の駆動を示すフロー図である。
【符号の説明】
【０１０３】
１    電気泳動表示素子
７    ＴＦＴ
９    データ線
１０    選択線
【図１】
2007079301.tif 000003
【図２】
2007079301.tif 000004
【図３】
2007079301.tif 000005
【図４】
2007079301.tif 000006
【図５】
2007079301.tif 000007
【図６】
2007079301.tif 000008
【図７】
2007079301.tif 000009
【図８】
2007079301.tif 000010
【図９】
2007079301.tif 000011
【図１０】
2007079301.tif 000012
【図１１】
2007079301.tif 000013